(57)【要約】【課題】消費電力を低下させる通信装置、及び通信方法を提供することを課題とする。【解決手段】通信装置は、第１の通信手段と、第２の通信手段と、制御手段とを具備する。第１の通信手段は、外部通信装置の検出動作を実行できる第1の通信方式であって、検出した外部通信機器と通信接続可能な前記第１の通信方式によって、接続した外部通信機器と通信を行う。第２の通信手段は、外部通信装置の検出動作を実行する第２の通信方式であって、当該検出動作は前記第１の通信方式による検出動作より消費電力が少ない前記第２の通信方式によって、外部通信機器と通信を行う。制御手段は、前記第２の通信方式による外部通信装置の検出動作を前記第２の通信手段に実行させ、前記第２の通信手段が前記第２の通信方式による検出動作によって検出した外部通信装置への通信接続を前記第１の通信手段に実行させる。【選択図】図６
2012160917.tif 000002
【特許請求の範囲】
【請求項１】
外部通信装置の検出動作を実行できる第1の通信方式であって、検出した外部通信機器と通信接続可能な前記第１の通信方式によって、接続した外部通信機器と通信を行う第１の通信手段と、
外部通信装置の検出動作を実行する第２の通信方式であって、当該検出動作は前記第１の通信方式による検出動作より消費電力が少ない前記第２の通信方式によって、外部通信機器と通信を行う第２の通信手段と、
前記第２の通信方式による外部通信装置の検出動作を前記第２の通信手段に実行させ、前記第２の通信手段が前記第２の通信方式による検出動作によって検出した外部通信装置への通信接続を前記第１の通信手段に実行させる制御手段と、
を具備する通信装置。
【請求項２】
前記第２の通信手段は、前記第２の通信方式において被検出可能である旨の通知を送信した後、外部通信装置より当該外部通信装置が前記第２の通信方式において被検出可能である旨の通知を受信し、
前記第１の通信手段は、前記被検出可能である旨の通知を送信した前記外部通信装置に対して、前記第１の通信方式による接続要求を送信する請求項１記載の通信装置。
【請求項３】
前記第２の通信手段が送信する、前記第２の通信方式において被検出可能である旨の通知には、前記第１の通信方式で利用可能であって、前記第２の通信方式では利用できないサービスを示す情報が含まれる請求項２記載の通信装置。
【請求項４】
前記第１の通信手段は、前記第２の通信手段が受信する前記外部通信装置が前記第２の通信方式において被検出可能である旨の通知に、前記第１の通信方式で利用可能であって、前記第２の通信方式では利用できないサービスを示す情報が含まれている場合、前記外部通信装置に対して、前記第１の通信方式による通信接続要求を送信する請求項３記載の通信装置。
【請求項５】
前記第１の通信手段は、前記第１の通信方式によって確立された接続において、前記サービスを利用する請求項４記載の通信装置。
【請求項６】
前記第２の通信手段は、外部通信装置より前記第２の通信方式において被検出可能である旨の通知を受信すると、前記外部通信装置に対して前記第２の通信方式において被検出可能である旨の通知を送信し、
前記第１の通信手段は、前記第２の通信手段が前記通知を送信した後に、前記外部通信装置より前記第１の通信方式による接続要求を受信すると、前記外部通信装置に対して前記第１の通信方式による応答を送信する請求項１記載の通信装置。
【請求項７】
前記第２の通信手段が受信した、前記第２の通信方式において被検出可能である旨の通知に、前記第１の通信方式で利用可能であって、前記第２の通信方式では利用できないサービスを示す情報が含まれるとき、
前記第２の通信手段は、前記第２の通信方式において被検出可能である旨の通知には、前記第１の通信方式で利用可能であって、前記第２の通信方式では利用できないサービスを示す情報が含まれた前記第２の通信方式において被検出可能である旨の通知を、前記外部通信装置に送信する請求項６記載の通信装置。
【請求項８】
外部通信装置の検出動作を実行できる第1の通信方式であって、検出した外部通信機器と通信接続可能な第１の通信方式よりも、検出動作時の消費電力の少ない第２の通信方式によって、外部通信機器を検出し、
前記前記第２の通信方式によって検出した前記外部通信機器と前記第１の通信方式による通信接続を行う通信方法。
【発明の詳細な説明】
【技術分野】
【０００１】
本発明の実施形態は通信装置、及び通信方法に関する。
【背景技術】
【０００２】
近年、通信技術の発達により様々な通信方式が普及している。この通信方式には、例えば低消費電力で通信実行可能な通信方式や、高速な通信の可能な通信方式等の通信の用途が考慮された多くの通信方式が存在する。
【先行技術文献】
【特許文献】
【０００３】
【特許文献１】特開２００４−１１２２２５号公報
【発明の概要】
【発明が解決しようとする課題】
【０００４】
通信機器が例えばコンテンツデータ等の所定量のデータの送受信を実行する場合、例えば待ち受け等の通信接続を開始するまでの処理については、送受信する情報が少ないため高速な通信仕様（通信方式）よりも低消費電力の通信仕様（通信方式）を使用する方が好適であると考えられる。また、接続以降のデータの送受信の処理については、低消費電力の通信仕様（通信方式）より、高速な通信仕様（通信方式）を使用する方が好適であると考えられる。
【０００５】
例えば、通信プロトコルであるBluetooth（登録商標）におけるBluetooth v.4.0では従来から存在するBR (Basic Rate)/EDR (Enhanced Data Rate)等の通信仕様（通信方式）に加え、BR/EDRより電力消費を抑えることが可能であるが、通信速度が遅いLE (Low Energy)という通信仕様（通信方式）が導入されている。
【０００６】
Bluetooth v.4.0仕様ではLEのみをサポートした通信機器（いわゆるsingle modeデバイス）と、BR/EDRとLEとを両方サポートした通信機器（いわゆるdual modeデバイス）とが想定されている。dual modeデバイスにおいて、BR/EDR上で通信する場合には、一般的に接続を仕掛ける側はBR/EDRで検出や接続を行い、接続を受ける側はBR/EDRで被検出や被接続を待ち受けることとなる。つまり、このときLEは利用しておらず、ＬＥ利用による省電力の恩恵を受けることができなかった。
【０００７】
本発明は上記に鑑みたもので、消費電力を低下させる通信装置、及び通信方法を提供することを課題とする。
【課題を解決するための手段】
【０００８】
実施形態の通信装置は、第１の通信手段と、第２の通信手段と、制御手段とを具備する。第１の通信手段は、外部通信装置の検出動作を実行できる第1の通信方式であって、検出した外部通信機器と通信接続可能な前記第１の通信方式によって、接続した外部通信機器と通信を行う。第２の通信手段は、外部通信装置の検出動作を実行する第２の通信方式であって、当該検出動作は前記第１の通信方式による検出動作より消費電力が少ない前記第２の通信方式によって、外部通信機器と通信を行う。制御手段は、前記第２の通信方式による外部通信装置の検出動作を前記第２の通信手段に実行させ、前記第２の通信手段が前記第２の通信方式による検出動作によって検出した外部通信装置への通信接続を前記第１の通信手段に実行させる。
【図面の簡単な説明】
【０００９】
【図１】実施形態における通信システムの一例を示す概念図。
【図２】実施形態における通信装置Ａと通信装置Ｂの内部構成の一例を示すブロック図。
【図３】実施形態における通信装置Ａと通信装置Ｂの通信方式の一例を示す概念図。
【図４】実施形態における通信装置Ａと通信装置ＢとがBR/EDR方式のみに従って接続を行うときの処理シーケンスの一例を示す図。
【図５】実施形態における通信装置Ａと通信装置ＢとがLE方式のみに従って接続を行うときの処理シーケンスの一例を示す図。
【図６】実施形態における通信装置Ａと通信装置ＢとがLE方式とBR/EDR方式の両方の通信方式を利用して接続を行うときの処理シーケンスの一例を示す図。
【図７】実施形態における通信装置Ａの処理フローの一例を示すフロー図。
【図８】実施形態における通信装置Ｂの処理フローの一例を示すフロー図。
【発明を実施するための形態】
【００１０】
本発明の実施の形態を以下にて図面を参照しながら説明する。
【００１１】
図１は本実施形態における通信システム１の一例を示す概念図である。図１には通信装置Ａ１００及び通信装置Ｂ２００が示されている。
【００１２】
通信装置Ａ１００と通信装置Ｂ２００とは無線通信を行ない、本実施形態では例えばBluetooth通信プロトコルによって通信を行うものとする。通信装置Ａ１００、及び通信装置Ｂ２００の例としては、例えばＰＣ（Personal Computer）、携帯電話、スレートＰＣ等のモバイル機器、ＤＴＶ（Digital Television）等の様々な電子機器が考えられる。
【００１３】
図２は本実施形態における通信装置Ａ１００の内部構成の一例を示すブロック図である。
【００１４】
通信装置Ａ１００は、制御部１１０、記憶部１２０、操作部１３０、表示部１４０、バッテリ１５０、無線通信部１６０、アンテナ１７０、及びバス１８０を有しおり、通信装置Ｂ２００は、制御部２１０、記憶部２２０、操作部２３０、表示部２４０、バッテリ２５０、無線通信部２６０、アンテナ２７０、及びバス２８０を有している。通信装置Ａ１００と津新装置Ｂ２００とはほぼ同様の内部構成を有しており、同様の名称を附されている構成についてはほぼ同様の機能を有している。また、以下では通信装置Ａ１００について重点的に説明を行い、通信装置Ｂ２００については説明を割愛する。しかし、上記はあくまで本実施形態における例示であってこれに限定されず、通信装置Ａ１００と通信装置Ｂ２００とは同様の内部構成でなくてもよく、通信装置Ａ１００と無線通信を行うことができればよい。
【００１５】
制御部１１０は、通信装置Ａ１００全体を制御する例えば中央演算処理装置（Central Processing Unit）であり、記憶部１２０に格納されたプログラムに応じて、所定の処理を実行する機能を有している。
【００１６】
記憶部１２０は、例えば半導体記憶装置であって、制御部１１０が実行する各種プログラム、所定の処理に必要な各種情報、また各種データファイル等を記憶している（記憶手段）。また記憶部１２０は動作制御プログラム１２２及び通信制御プログラム１２３を記憶している。制御部１１０は動作制御プログラム１２２を実行することで、通信装置Ａ１００全体の動作を制御し、通信制御プログラム１２３を実行することでBluetooth通信を制御することができる。
【００１７】
操作部１３０は、例えばキーボード、タッチパネル等のユーザが通信装置Ａ１００へ操作を入力する操作入力部であって、操作部１３０はユーザからの操作入力を所定の電気信号として通信装置Ａ１００に入力する。本実施形態においてはキーボード、タッチパネル等を例として挙げたが、これに限定されるものではなく、例えばユーザが操作入力を行う外部のリモートコントローラからの信号受信部等を含んでもよい。
【００１８】
表示部１４０は、例えば液晶ディスプレイや自発光型の表示ディスプレイ等の表示装置であって、画像を表示する機能を有している。
【００１９】
バッテリ１５０は、例えば蓄電器であり供給された電力を蓄えておく機能を有しており、通信装置Ａ１００はこのバッテリ１５０によって駆動する。
【００２０】
無線通信部１６０は、アンテナ１７０によって電波を送受信し、他の通信装置（例えば通信装置Ｂ２００）と無線通信を行う通信手段としての機能を有している。
【００２１】
バス１８０は、通信装置Ａ１００内の接続された各構成をそれぞれ通信可能に接続する機能を有している。
【００２２】
本実施形態において通信装置Ａ１００と通信装置Ｂ２００とはBluetooth規格によって規定される無線通信を行う。しかし、これは本実施形態における例示であってこれに限定されず、他の通信規格によって通信を行うとしてもよい。
【００２３】
Bluetoothは規格のバージョンアップによって、通信仕様（通信方式）の追加が行なわれている。Bluetooth v.2.0+EDRまでのBR (Basic Rate)/EDR (Enhanced Data Rate)の通信仕様（通信方式）に加え、Bluetooth v.3.0+HSでは、BR/EDRより高速通信が可能となるが電力消費が高くなるAMP (Alternate MAC/PHY)が導入された。また、Bluetooth v.4.0ではBR/EDRより電力消費を抑えることが可能であるが、通信速度が遅いLE (Low Energy)という通信仕様（通信方式）が導入された。Bluetooth規格では相互接続性に必須となる機能や手順について詳細を定められている。
【００２４】
通信装置Ａ１００は、操作部１３０からのユーザ操作に基づいて、又は自動で通信装置Ｂ２００との通信を開始する。このとき、制御部１１０は記憶部１２０に格納された通信制御プログラム１２２を実行してこの通信を制御している。無線通信部１６０は制御部１１０の通信制御に基づいて無線通信を行う。
【００２５】
次に通信方式について図３を用いて説明する。
【００２６】
図３は本実施形態における通信装置Ａ１００と通信装置Ｂ２００の通信方式の一例を示す概念図である。
【００２７】
通信装置Ａ１００の無線通信部１６０はBluetooth通信部１６１を有している。
【００２８】
Bluetooth通信部１６１は、Bluetooth規格に従って通信を行う通信部であり、Bluetooth通信部１６１はBR/EDRコントローラ１６２及びLEコントローラ１６３を有している。つまり、通信装置Ａ１００はBR/EDRとLEとを両方サポートした、いわゆるdual modeデバイスである。
【００２９】
BR/EDRコントローラ１６２はBluetooth v.2.0+EDRより定められているBR (Basic Rate)及びEDR (Enhanced Data Rate)の通信仕様（通信方式）に従って動作する通信コントローラである。
【００３０】
LEコントローラ１６３はBluetooth v.4.0より定められるLE（Low Energy） の通信仕様（通信方式）に従って動作する通信コントローラである。
【００３１】
通信装置Ｂ２００も通信装置Ａ１００と同様の構成を有しており、BR/EDR、LEの通信仕様（通信方式）によって通信装置Ａ１００と通信装置Ｂ２００はBluetooth通信を行うことが可能である（dual modeデバイス）。
【００３２】
ここで、本実施形態において通信装置Ａ１００と通信装置Ｂ２００とがBR/EDR方式のみに従って通信接続を行う場合を説明する。ここでは、通信装置Ａ１００が通信装置Ｂ２００に対して接続を要求する場合を例に挙げる。
【００３３】
図４は、本実施形態における通信装置Ａ１００と通信装置Ｂ２００とがBR/EDR方式のみに従って接続を行うときの処理シーケンスの一例を示す図である。
【００３４】
まず、接続要求を受ける側である通信装置Ｂ２００は自身をInquiry Scan（被検出可能状態）に設定し、他の通信機器からの機器検出要求を受付可能な状態となる。
【００３５】
通信装置Ａ１００は、まず検出可能な機器が周囲に存在するかを確認するため、まず機器検出要求（パケット）を周囲に送信する。
【００３６】
Inquiry Scan（被検出可能状態）に設定されており、機器検出要求（パケット）を受信した通信装置Ｂ２００は、この機器検出要求（パケット）を確認し、通信装置Ａ１００に対して機器検出応答（パケット）を送信する。機器検出応答（パケット）を送信した通信装置Ｂ２００は、自身をPage Scan（被接続可能状態）に設定し、通信装置Ａ１００からのBR/EDR接続要求を受付可能な状態となる。
【００３７】
通信装置Ｂ２００より機器検出応答を受信した通信装置Ａ１００は、通信装置Ｂ２００と接続を開始したい場合には、通信装置Ｂ２００に対してBR/EDR接続要求を送信する。
【００３８】
通信装置Ａ１００より機器接続要求を受信した通信装置Ｂ２００は、通信装置Ａ１００に対してBR/EDR接続応答を送信する。
【００３９】
以上のシーケンスによって、通信装置Ａ１００と通信装置Ｂ２００とはBR/EDR方式での通信を確立することができる。
【００４０】
次に、本実施形態において通信装置Ａ１００と通信装置Ｂ２００とがLE方式のみに従って接続を行う場合を説明する。ここでも上記同様に、通信装置Ａ１００が通信装置Ｂ２００に対して接続を要求する場合を例に挙げる。
【００４１】
図５は、本実施形態における通信装置Ａ１００と通信装置Ｂ２００とがLE方式のみに従って接続を行うときの処理シーケンスの一例を示す図である。
【００４２】
LE方式では、接続要求を受ける側である通信装置Ｂ２００は自身をAdvertising状態に設定する。すなわち自身はLEでの接続要求を受信可能である状態に設定し、被検出・被接続可能状態の通知（Advertisingパケット）の送出を開始する。送出を開始すると、通信装置Ｂ２００は例えば所定時間間隔毎に、通信装置Ｂ２００は被検出・被接続可能状態の通知（Advertisingパケット）であるAdvertising（connectable）を周囲に送出し続ける。
【００４３】
一方、接続要求を出す側の機器である通信装置Ａ１００はLE方式での接続を要求しようとするときは、まずAdvertising（connectable）を検出するためのScan（検出動作）を開始する。Scan（検出動作）開始後に、外部機器からの被検出・被接続可能状態の通知（パケット）であるAdvertising（connectable）を検出し、この機器と接続を開始しようとする場合、通信装置Ａ１００はAdvertising（connectable）内の情報に基づいて、Advertising（connectable）を送出してきた機器（ここでは通信装置Ｂ２００）を特定し、この機器に対してLE接続要求を送信する。
【００４４】
他の機器（ここでは通信装置Ａ１００）よりLE接続要求を受信すると、通信装置Ｂ２００はAdvertising状態からConnecting状態へと移行し、接続を行う通信装置Ａ１００に対してLE接続応答を送信する。
【００４５】
以上のシーケンスによって、通信装置Ａ１００と通信装置Ｂ２００とはLE方式での通信を確立することができる。
【００４６】
BR/EDRとLEを同時に備えた機器の場合、LE上での通信として規定（許可）されていないプロトコル／プロファイルを使用して通信する場合には、従来のBR/EDRでの無線通信処理をする必要がある。すなわち、BR/EDR上でのみ通信を行う当該プロトコル／プロファイルを使用する場合には、接続を仕掛ける側はBR/EDRで検出や接続を行い、接続を受ける側はBR/EDRで被検出や被接続の待ち受け状態となる方法が一般的となる。BR/EDRとLEを同時に備えた機器では、接続を受ける側は同時にLEでの被検出や被接続の待ち受け状態とすると、省電力を特徴としたBluetooth v4.0仕様を使用するにも関わらず、BR/EDRとLEを同時に備えた機器では、従来よりも消費電力が多くなってしまう場合が存在する。
【００４７】
そこで本実施形態では、BR/EDR上での通信として規定（許可）されており、LE上での通信として規定（許可）されていないプロトコル／プロファイル（又はサービス）を使用して通信するとき、LE方式とBR/EDR方式の両方の通信シーケンスを利用し、消費電力の少ない通信方法を実現する。
【００４８】
次に本実施形態における、LE方式とBR/EDR方式の両方の通信方式を利用した、接続処理（およびその前段の処理）についての説明を行う。
【００４９】
図６は、本実施形態における通信装置Ａ１００と通信装置Ｂ２００とがLE方式とBR/EDR方式の両方の通信方式を利用して接続を行うときの処理シーケンスの一例を示す図である。
【００５０】
まず、BR/EDR上での通信として規定（許可）されており、LE上での通信として規定（許可）されていないプロトコル／プロファイルを使用した通信の接続要求を送る側である通信装置Ａ１００は、LE Advertising状態に自身を設定し、BR/EDR上で規定（許可）されており、LE上で規定（許可）されていないサービスの情報を含む被検出・被接続可能状態の通知（Advertisingパケット）の送出を開始する。また、同時にLE Scan（検出動作）を開始する。
【００５１】
通常、LE方式のみに従って通信を行う場合には、この被検出・被接続可能状態の通知であるAdvertisingパケットには所定の位置に今後実行するサービス（LEで規定されているサービス）を示すＵＵＩＤ（Universally Unique Identifier）が記述されている。しかし、ここでは通信装置Ａ１００はBR/EDR上で規定（許可）されており、LE上で規定（許可）されていないサービスの情報として、このサービスを示すＵＵＩＤを被検出・被接続可能状態の通知（Advertisingパケット）内の前述の所定の位置に記述し、この通知（Advertisingパケット）を送出する。これによって、接続を受ける側の機器である通信装置Ｂ２００はこの被検出・被接続可能状態の通知（Advertisingパケット）を受信することにより、通信装置Ａ１００が利用したいBR/EDR上でのサービスを特定することができる。
【００５２】
通信装置Ｂ２００はLE Scan（検出動作）を開始し、通信装置Ａ１００より送出された通知であるAdvertisingパケット（BR/EDR用ＵＵＩＤを含む）を受信すると、このAdvertisingパケットよりBR/EDR上でのサービスを示すＵＵＩＤを検出することができる。通信装置Ｂ２００はBR/EDR上でのサービスを示すＵＵＩＤを検出すると、通信装置Ａ１００がＵＵＩＤに示されるBR/EDR上でのサービスを利用しようとしていると判別する。
【００５３】
次に、通信装置Ｂ２００はLE Scan（検出動作）を停止し、LE Advertising状態に自身を設定する。そして、通信装置Ｂ２００は受信したAdvertisingパケットに記述されたＵＵＩＤを記述した被検出・被接続可能状態の通知（Advertisingパケット）の送出を開始すると共に、自身をBR/EDRのPage Scan（被接続可能状態）に設定し、通信装置Ａ１００からのBR/EDR接続要求を受付可能な状態となる。
【００５４】
通信装置Ａ１００はAdvertisingパケットを受信し、自身が送出したAdvertisingパケットに記述されたＵＵＩＤ（BR/EDR上でのサービスを示すＵＵＩＤ）を受信したAdvertisingパケット中から検出すると、このAdvertisingパケットを送出した機器が、自身が送出したAdvertisingパケットに対応してAdvertisingパケットを送出した機器であると判別できる。そして、通信装置Ａ１００はLE Advertising動作とLE Scan（検出動作）とを停止する。
【００５５】
次に、通信装置Ａ１００は、通信装置Ｂ２００に対してBR/EDR接続要求を送信する。
【００５６】
BR/EDR接続要求を受信した通信装置Ｂ２００はLE Advertising動作を停止し、通信装置Ａ１００に対してBR/EDR接続応答を送信する。
【００５７】
以上のシーケンスによって、LE方式とBR/EDR方式の両方の通信方式を利用した、BR/EDR方式での接続処理を実行することができる。また、BR/EDRでの接続確立後は前述のBR/EDR上で規定（許可）されており、LE上で規定（許可）されていないサービスを利用すればよい。
【００５８】
次に上記接続処理（およびその前段の処理）を実行する際の、通信装置Ａ１００の実行する処理を説明する。
【００５９】
図７は本実施形態における通信装置Ａ１００の処理フローの一例を示すフロー図である。
【００６０】
まず、通信装置Ａ１００の制御部１１０はLE Advertising状態（被検出可能状態）で、BR/EDR上で規定（許可）されており、LE上で規定（許可）されていないサービスの情報を含む（ＵＵＩＤが所定の位置に記述された）被検出・被接続可能状態の通知（Advertisingパケット）を送信するように設定する（ステップＳ７１）。
【００６１】
次に、制御部１１０は上記サービスに接続したい機器群をLEのScan（機器検出）用のフィルタに設定する（ステップＳ７２）。
【００６２】
ステップＳ７２終了後、制御部１１０は無線通信部１６０を制御し、LE Advertising状態の設定、LEのAdvertisingパケットの送出、及びLEのScan（機器検出）動作を開始する（ステップＳ７３）。
【００６３】
次に、制御部１１０はステップＳ７２でフィルタ設定した、接続を希望する当該機器群からのLEのAdvertisingパケットを受信したか否かを判別する（ステップＳ７４）。
【００６４】
ステップＳ７４において受信した場合（ステップＳ７４：Ｙｅｓ）、制御部１１０は無線通信部１６０を制御し、LE Advertising状態の設定、LEのAdvertisingパケットの送出、及びLEのScan（機器検出）動作を停止し、受信したLEのAdvertisingパケットを送出した機器に対してBR/EDRでの接続要求を送信する（ステップＳ７５）。
【００６５】
ステップＳ７４において受信しない場合（ステップＳ７４：Ｎｏ）、制御部１１０はユーザからの指示又はタイムアウト等によって処理を中断するか否かを判別し（ステップＳ７６）、処理を中断しない場合には（ステップＳ７６：Ｎｏ）、処理フローをステップＳ７４に戻す。
【００６６】
ステップＳ７６において処理を中断する場合には（ステップＳ７６：Ｙｅｓ）、制御部１１０は無線通信部１６０を制御し、LE Advertising状態の設定、LEのAdvertisingパケットの送出、及びLEのScan（機器検出）動作を停止する（ステップＳ７７）。
【００６７】
ステップＳ７５又はステップＳ７７の終了後、BR/EDRでの接続開始のための一連の処理フローは終了となる。
【００６８】
次に、上記接続処理（およびその前段の処理）を実行する際の、通信装置Ｂ２００の処理を説明する。
【００６９】
図８は本実施形態における通信装置Ｂ２００の処理フローの一例を示すフロー図である。
【００７０】
まず、通信装置Ｂ２００の制御部２１０はLEのScan（機器検出）を実行する（ステップＳ８０１）。
【００７１】
次に、制御部２１０はBR/EDR上で規定（許可）されており、LE上で規定（許可）されていないサービスの情報を含む（ＵＵＩＤが所定の位置に記述された）被検出・被接続可能状態の通知（Advertisingパケット）を受信したか否かを判別する（ステップＳ８０２）。
【００７２】
ステップＳ８０２において、BR/EDR上で規定（許可）されており、LE上で規定（許可）されていないサービスの情報を含むAdvertisingパケットを受信すると（ステップＳ８０２：Ｙｅｓ）、制御部２１０はLEのScan（機器検出）動作を停止する（ステップＳ８０３）。
【００７３】
次に、制御部２１０はBR/EDRをPage Scan（被接続可能状態）に設定し（ステップＳ８０４）、通信装置Ａ１００からのBR/EDR接続要求を受付可能な状態となる。
【００７４】
ステップＳ８０４の完了後、受信したAdvertisingパケットで示されたＵＵＩＤを記述したLEのAdvertisingパケットの送出を開始する（ステップＳ８０５）。
【００７５】
次に、制御部２１０は通信機器Ａ１００からBR/EDRの接続要求を受信したか否かを判別する（ステップＳ８０６）。
【００７６】
ステップＳ８０６において、通信機器Ａ１００からBR/EDRの接続要求を受信したとき（ステップＳ８０６：Ｙｅｓ）、制御部２１０はLEのAdvertisingパケットの送出を停止し、通信機器Ａ１００に対してBR/EDRの接続応答を送信する（ステップＳ８０７）。
【００７７】
ステップＳ８０２においてBR/EDR上で規定（許可）されており、LE上で規定（許可）されていないサービスの情報を含むAdvertisingパケットを受信しないとき（ステップＳ８０２：Ｎｏ）、制御部２１０はユーザからの指示又はタイムアウト等によって処理を中断するか否かを判別する（ステップＳ８０８）。
【００７８】
ステップＳ８０８において処理を中断しないとき（ステップＳ８０８：Ｎｏ）、処理フローはステップＳ８０２に戻る。またステップＳ８０８において処理を中断するとき（ステップＳ８０８：Ｙｅｓ）、制御部２１０はLEのScan（機器検出）動作を停止する（ステップＳ８０９）。
【００７９】
また、ステップＳ８０６において、通信機器Ａ１００からBR/EDRの接続要求を受信していないとき（ステップＳ８０６：Ｎｏ）、制御部２１０はユーザからの指示又はタイムアウト等によって処理を中断するか否かを判別する（ステップＳ８１０）。
【００８０】
ステップＳ８１０において処理を中断しないとき（ステップＳ８１０：Ｎｏ）、処理フローはステップＳ８０６に戻る。またステップＳ８１０において処理を中断するとき（ステップＳ８１０：Ｙｅｓ）、制御部２１０はLEのAdvertisingパケットの送出を停止する（ステップＳ８１１）。
【００８１】
ステップＳ８０７、ステップＳ８０９、またはステップＳ８１１の完了後、ステップＳ８１２において、BR/EDRのPage Scan動作（被接続可能状態）を停止し、処理フローは終了となる。
【００８２】
本実施形態において、BR/EDR方式のみで接続を実行する場合に比較して、LE方式とBR/EDR方式の両方の通信方式を利用したBR/EDR方式での接続を実行する場合では、機器検出にLE方式を利用するため省電力を実現することができる。
【００８３】
また、dual modeデバイスにおいてBR/EDRとLEとで同時に被検出や被接続の待ち受けをする必要がなく、省電力を実現することができる。
【００８４】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００８５】
１…通信システム、１００…通信装置Ａ、１１０…制御部、１２０…記憶部、１２２…動作制御プログラム、１２３…通信制御プログラム、１３０…操作部、１４０…表示部、１５０…バッテリ、１６０…無線通信部、１６１…Bluetooth通信部、１６２…BR/EDRコントローラ、１６３…LEコントローラ、１７０…アンテナ、１８０…バス、２００…通信装置Ｂ、２１０…制御部、２２０…記憶部、２２２…動作制御プログラム、２２３…通信制御プログラム、２３０…操作部、２４０…表示部、２５０…バッテリ、２６０…無線通信部、２６１…Bluetooth通信部、２６２…BR/EDRコントローラ、２６３…LEコントローラ。
【図１】
2012160917.tif 000003
【図２】
2012160917.tif 000004
【図３】
2012160917.tif 000005
【図４】
2012160917.tif 000006
【図５】
2012160917.tif 000007
【図６】
2012160917.tif 000008
【図７】
2012160917.tif 000009
【図８】
2012160917.tif 000010
【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
第１の通信方式によって、外部通信装置の検出動作を実行し、当該検出した外部通信機器と通信を行う第１の通信手段と、
前記第１の通信方式よりも前記外部通信装置の検出動作の消費電力が少ない第２の通信方式によって、前記外部通信装置の検出動作を実行し、当該検出した外部通信機器と通信を行う第２の通信手段と、
前記第２の通信手段に前記第２の通信方式による検出動作を実行させた後に、前記第２の通信手段が検出した前記外部通信装置への通信接続を前記第１の通信手段に実行させる制御手段と
を具備し、
制御手段は、
前記第２の通信方式において被検出可能である旨の通知を、前記第１の通信方式で利用可能であって前記第２の通信方式では利用できないサービスを示す情報と共に、前記第２の通信手段に前記外部通信装置へ送信させ、前記検出動作を開始させた後に、
前記第２の通信方式において被検出可能である旨の通知を、前記第１の通信方式で利用可能であって前記第２の通信方式では利用できないサービスを示す情報と共に、前記外部通信装置から前記第２の通信手段が受信した場合には、
前記外部通信装置に対して、前記第１の通信方式による前記通信接続の要求を前記第１の通信手段に送信させる、
通信装置。
【請求項２】
前記第１の通信手段は、前記第１の通信方式によって確立された接続において、前記サービスを利用する請求項１記載の通信装置。
【請求項３】
第１の通信方式よりも外部通信装置の検出動作時の消費電力が少ない第２の通信方式によって前記外部通信機器を検出し、前記前記第２の通信方式によって検出した前記外部通信機器と前記第１の通信方式による通信接続を行う通信方法であって、
前記第２の通信方式において被検出可能である旨の通知を、前記第１の通信方式で利用可能であって前記第２の通信方式では利用できないサービスを示す情報と共に前記外部通信装置へ送信して前記第２の通信方式による検出動作を開始した後に、
前記外部通信装置から前記第２の通信方式において被検出可能である旨の通知を、前記第１の通信方式で利用可能であって前記第２の通信方式では利用できないサービスを示す情報と共に受信した場合に、
前記外部通信装置に対して、前記第１の通信方式による前記通信接続の要求を送信する、
通信方法。